(57)【要約】【課題】取り付け・取り外しに工具が必要なく、作業を簡単に行うことができ、しかも構造が簡単なオプション部材の取付構造を提供する。【解決手段】棚板３の下面に、下端部に雄ねじ部６ｃを有するとともに、中間部に拡径鍔部６ｅを有する取付軸６の上端を固着し、照明器具４に、取付軸６が貫通しうるとともに、取付軸６に対して照明器具４が側方変位しうるようにした貫通孔１５を設け、この貫通孔１５の内側面に、取付軸６に対して照明器具４を側方変位させたとき、拡径鍔部６ｅが嵌合しうるようにした横溝１５ｄを設け、この横溝１５ｄに拡径鍔部６ｅが嵌合した状態で、照明器具４の下方より、締付けナット１８を取付軸６の雄ねじ部６ｃに螺合して締め付けることにより、照明器具４を、棚板３の下面に取付ける。【選択図】  図３
2010099331.tif 000002
【特許請求の範囲】
【請求項１】
構造体の下面に、下端部に雄ねじ部を有するとともに、中間部に拡径鍔部を有する取付軸の上端を固着し、オプション部材に、前記取付軸が貫通しうるとともに、前記取付軸に対してオプション部材が側方変位しうるようにした貫通孔を設け、この貫通孔の内側面に、前記取付軸に対してオプション部材を側方変位させたとき、前記拡径鍔部が嵌合しうるようにした横溝を設け、この横溝に前記拡径鍔部が嵌合した状態で、前記オプション部材の下方より、締付けナットを前記取付軸の雄ねじ部に螺合して締め付けることにより、オプション部材を、構造体の下面に取付けたことを特徴とするオプション部材の取付構造。
【請求項２】
取付軸の中央に軸孔を設け、この軸孔に下方より挿通した固定ねじをもって、取付軸を構造体の下面に固着した請求項１記載のオプション部材の取付構造。
【請求項３】
貫通孔を、短軸方向の幅が取付軸における拡径鍔部より下方の軸部の外径とほぼ等しく、前記軸部が長軸方向に相対移動可能として嵌合されるようにした横長孔部と、その上端に連設され、短軸方向の幅が取付軸における拡径鍔部の外径とほぼ等しく、前記拡径鍔部が、前記横長孔部の長軸と同方向を向く長軸方向に相対移動可能として嵌合されるようにした幅広横長孔部と、その上端に連設され、内径が前記拡径鍔部の外径とほぼ等しく、かつ一部が幅広横長孔部の長軸方向の側端の縁と整合するようにした丸孔部とからなるものとし、前記幅広横長孔部における前記横長孔部および丸孔部より側方に突出する部分を横溝とした請求項１または２記載のオプション部材の取付構造。
【請求項４】
オプション部材に設けた取付部材に、貫通孔を設けた請求項１〜３のいずれかに記載のオプション部材の取付構造。
【請求項５】
取付軸に対してオプション部材を側方変位させたときに、前記取付軸と整合するオプション部材の下面の部位に、締付けナットの上部が回転可能として嵌合する段孔を設けた請求項１〜４のいずれかに記載のオプション部材の取付構造。
【請求項６】
オプション部材を照明器具とし、構造体を棚板とした請求項１〜５のいずれかに記載のオプション部材の取付構造。
【発明の詳細な説明】
【技術分野】
【０００１】
本発明は、棚板等の構造体の下面に、照明器具等のオプション部材を、簡単に取付けることができるようにしたオプション部材の取付構造に関する。
【背景技術】
【０００２】
オフィスの執務空間において使用される机の前上方に配設した棚板の下面に、机の天板面を照射する蛍光灯等の照明器具を取付ける場合、従来は、棚板の下面に照明器具を片手で押し付けつつ、照明器具に設けた取付孔に、取付ねじを下方から挿入して、照明器具を棚板の下面にねじ止めするのが一般的である。
【０００３】
このような照明器具の取付方法では、作業時、棚板に対して、作業者が照明器具を片手で保持しておかなければならず、照明器具が大型かつ大重量の場合には、安定して保持することが困難で、作業性が悪いばかりではなく、作業中に照明器具を落下させる危険性さえある。
【０００４】
上記のような不具合を解消するため、棚板の下面に仮止めした取付ねじの頭部に、照明器具を係止して仮保持させた後、工具によって取付ねじを本締めすることにより、棚板の下面に照明器具を取付けるようにした取付構造がある(例えば、本出願人の出願に係る特許文献１参照)。
【特許文献１】特開２００５−６５９１６号公報
【発明の開示】
【発明が解決しようとする課題】
【０００５】
特許文献１に記載されている取付構造は、作業者が照明器具を片手で保持する必要がなく、作業性がよいものの、取付けに際して、照明器具のガイド筒部に工具を挿入して、取付ねじを本締めする必要があり、また、照明器具のメンテナンスのため、照明器具を外す必要が生じた場合に、照明器具のガイド筒部に工具を挿入して取付ねじを緩める必要があるため、取り付け・取り外しに工具が必要で、かつ作業がやや面倒であるという問題がある。
【０００６】
本発明は、従来の技術が有する上記のような問題点に鑑み、取り付け・取り外しに工具が必要なく、作業を簡単に行うことができ、しかも構造が簡単なオプション部材の取付構造を提供することを目的としている。
【課題を解決するための手段】
【０００７】
本発明によると、上記課題は、次のようにして解決される。
(１)  構造体の下面に、下端部に雄ねじ部を有するとともに、中間部に拡径鍔部を有する取付軸の上端を固着し、オプション部材に、前記取付軸が貫通しうるとともに、前記取付軸に対してオプション部材が側方変位しうるようにした貫通孔を設け、この貫通孔の内側面に、前記取付軸に対してオプション部材を側方変位させたとき、前記拡径鍔部が嵌合しうるようにした横溝を設け、この横溝に前記拡径鍔部が嵌合した状態で、前記オプション部材の下方より、締付けナットを前記取付軸の雄ねじ部に螺合して締め付けることにより、オプション部材を、構造体の下面に取付ける。
【０００８】
このような構成とすると、構造体の下面に取付けた取付軸に、オプション部材の貫通孔を嵌合した後、オプション部材を側方に変位させて、取付軸の拡径鍔部に、貫通孔の内側面に設けた横孔を係止して、オプション部材を仮保持し、その状態で、取付軸の雄ねじ部に、締付けナットを螺合して締め付けることにより、オプション部材を、工具を用いることなく、構造体の下面に簡単に取付けることができる。
また、締付けナットを緩めて外し、上記と逆の手順で、オプション部材を簡単に構造体の下面から外すことができる。
【０００９】
(２)  上記(１)項において、取付軸の中央に軸孔を設け、この軸孔に下方より挿通した固定ねじをもって、取付軸を構造体の下面に固着する。
【００１０】
このような構成とすると、取付軸を、構造体の下面に、簡単に取付けることができる。
【００１１】
(３)  上記(１)または(２)項において、貫通孔を、短軸方向の幅が取付軸における拡径鍔部より下方の軸部の外径とほぼ等しく、前記軸部が長軸方向に相対移動可能として嵌合されるようにした横長孔部と、その上端に連設され、短軸方向の幅が取付軸における拡径鍔部の外径とほぼ等しく、前記拡径鍔部が、前記横長孔部の長軸と同方向を向く長軸方向に相対移動可能として嵌合されるようにした幅広横長孔部と、その上端に連設され、内径が前記拡径鍔部の外径とほぼ等しく、かつ一部が幅広横長孔部の長軸方向の側端の縁と整合するようにした丸孔部とからなるものとし、前記幅広横長孔部における前記横長孔部および丸孔部より側方に突出する部分を横溝とする。
【００１２】
このような構成とすると、取付軸と貫通孔との側方、すなわち横長孔部の短軸方向の位置ずれを防止し、オプション部材の取付位置を正確に位置決めすることができる。
【００１３】
(４)  上記(１)〜(３)項のいずれかにおいて、オプション部材に設けた取付部材に、貫通孔を設ける。
【００１４】
このような構成とすると、予め貫通孔を設けておいた取付部材を、オプション部材に装着するだけでよく、オプション部材に直接貫通孔を穿設する必要がないので、製造作業が楽になる。
【００１５】
(５)  上記(１)〜(４)項のいずれかにおいて、取付軸に対してオプション部材を側方変位させたときに、前記取付軸と整合するオプション部材の下面の部位に、締付けナットの上部が回転可能として嵌合する段孔を設ける。
【００１６】
このような構成とすると、構造体に対してオプション部材を側方変位させたときの位置決めが簡単になされるとともに、取付け後に、オプション部材が構造体に対して側方に位置ずれするのを確実に阻止することができ、万一締付けナットが弛んだ場合でも、オプション部材が構造体から外れるのを確実に防止し、安全性を高めることができる。
【００１７】
(６)  上記(１)〜(５)項のいずれかにおいて、オプション部材を照明器具とし、構造体を棚板とする。
【００１８】
このような構成とすると、棚板の下面に、照明器具を、工具を使用することなく、簡単かつ迅速に取付けることができるとともに、容易に取り外すこともできる。
【発明の効果】
【００１９】
本発明によると、取り付け・取り外しに工具が必要なく、作業を簡単に行うことができ、しかも構造が簡単なオプション部材の取付構造を提供することができる。
【発明を実施するための最良の形態】
【００２０】
以下、本発明の一実施形態を、添付図面を参照して説明する。  
図１および図２に示すように、この実施形態では、机(図示略)の前部に立設した左右１対の支柱１、１に、ブラケット２、２を介して両端部を支持した左右方向を向く棚板３を構造体とし、その棚板３の下面に、オプション部材としての照明器具４を取付けてある。
５は、左右の支柱１、１の上端同士を連結する連結杆である。
【００２１】
図２に示すように、棚板３の下面には、上下方向を向く左右１対の取付軸６が、固定ねじ７をもってそれぞれ固着されている。
取付軸６は、図２および図３に示すように、中央に軸孔６ａが挿通する筒状をなし、上下方向を向く軸部６ｂの下端部に、軸部６ｂの外径とほぼ同一かまたはそれより小径とした雄ねじ部６ｃが、また上端に拡径フランジ６ｄが、さらに上端から若干下方の位置に、拡径フランジ６ｄより小径の拡径鍔部６ｅが設けられたものよりなっており、軸孔６ａに下方より挿通した固定ねじ７の上端部を、棚板３の下面よりねじ込むことにより、棚板３の下面に固着されている。
【００２２】
照明器具４は、左右方向を向く角筒状のケース本体８の前面両側部に前向突設した左右１対のソケット９(その一方のみを図３に示す)間に、蛍光灯１０を取付け、その前面と下面とを、透光性のカバー１１により覆い、さらに、ケース本体８とカバー１１との両側端を、側部カバー１２、１２により覆ったものよりなっている。
【００２３】
ケース本体８内の両側部には、図３に示すように、ブロック状の取付部材１３が嵌合され、前後１対の固定ねじ１４をもって固着されている。
この取付部材１３と、ケース本体８の上下壁とには、取付軸６が前後方向に変位可能として貫通するようにした貫通孔１５、１６、１７が設けられている。
【００２４】
図３および図４に示すように、貫通孔１５は、短軸方向である左右方向の幅が取付軸６における軸部６ｂの外径とほぼ等しく、その軸部６ｂが長軸方向である前後方向に相対移動可能として嵌合されるようにした横長孔部１５ａと、その上端に連設され、短軸方向である左右方向の幅が取付軸６における拡径鍔部６ｅの外径とほぼ等しく、上下方向の長さが拡径鍔部６ｅの厚さとほぼ等しく、拡径鍔部６ｅが、横長孔部１５ａの長軸方向と同じ前後方向とした長軸方向に相対移動可能として嵌合されるようにした幅広横長孔部１５ｂと、その上端に連設され、内径が拡径鍔部６ｅの外径とほぼ等しく、かつ後端部が幅広横長孔部１５ｂの後端の縁と整合するようにした丸孔部１５ｃとからなるものとしてある。
【００２５】
幅広横長孔部１５ｂにおける横長孔部１５ａおよび丸孔部１５ｃの前端より前方に突出する部分は、貫通孔１５における横溝１５ｄをなしている。
【００２６】
ケース本体８の上壁における貫通孔１６は、貫通孔１５の丸孔部１５ｃと同形かつ同芯としてある。
ケース本体８の下壁における貫通孔１７は、取付部材１３の下端に設けた短寸のボス部１３ａの外径とほぼ等しくし、この貫通孔１７にボス部１３ａが嵌合されている。
【００２７】
ボス部１３ａおよび貫通孔１７は、貫通孔１５内において、取付軸６を相対的に最も前方に位置したときの取付軸６と同芯となるようにしてあり、ボス部１３ａの内部には、貫通孔１５の横長孔部１５ａの下端に連通する円形の浅い拡径段孔１５ｅが設けられている。
【００２８】
拡径段孔１５ｅには、取付軸６の下端部における雄ねじ部６ｃに螺合しうるねじ孔１８ａが設けられた締付けナット１８の上端部に設けられた縮径段部１８ｂが、回転自在に嵌合しうるようになっている。
この拡径段孔１５ｅの内径と、締付けナット１８の縮径段部１８ｂの外径とはほぼ等しくしてあり、それらが互いに嵌合することにより、照明器具４が、取付軸６に対して、ひいては棚板３に対して、水平方向に位置ずれしないようにしてある。
締付けナット１８は、手で回転操作しうるユリア化粧ナットとしてある。
【００２９】
棚板３の下面に、照明器具４を取付けるには、まず、棚板の下面に、左右１対の取付軸６を、固定ねじ７をもって、上述のようにして取付けた後、照明器具４を、各貫通孔１５、１６、１７に取付軸６が嵌合するようにして持ち上げ、照明器具４の上面が、左右の取付軸６の拡径フランジ６ｄの下面に当接した後、照明器具４を後方に押動して、左右の貫通孔１５の横溝１５ｄを、取付軸６の拡径鍔部６ｅの前部にそれぞれ係合させる。
【００３０】
この状態が仮保持状態であり、この状態で、照明器具４から手を離しても、左右の貫通孔１５の横溝１５ｄが、取付軸６の拡径鍔部６ｅの前部にそれぞれ係合しているので、照明器具４が落下することはない。
【００３１】
この状態で、貫通孔１５の下端に露呈している取付軸６の雄ねじ部６ｃに、締付けナット１８のねじ孔１８ａを螺合して締め付けると、取付軸６の拡径鍔部６ｅと締付けナット１８との間に、取付部材１３における貫通孔１５の幅広横長孔部１５ｂと拡径段孔１５ｅとの間の部分が締め付けられて、照明器具４は、棚板３の下面に強固に取付けられる。
【００３２】
棚板３の下面に取付けられた照明器具４を、棚板３から外すには、左右の締付けナット１８を緩めて外した後、照明器具４を前方に移動して、左右の貫通孔１５の横溝１５ｄを、取付軸６の拡径鍔部６ｅから前方に外せばよい。すると、照明器具４は、棚板３の下面から下方に簡単に外すことができる。
【００３３】
以上から明らかなように、本発明のオプション部材の取付構造によると、取り付け・取り外しに工具が必要なく、作業を簡単に行うことができ、しかも構造を簡素化することができる。
【００３４】
本発明は、上記実施形態のみに限定されるものではなく、幾多の変形した態様での実施が可能である。
例えば、取付部材１３を、貫通孔１５における横長孔部１５ａと幅広横長孔部１５ｂとの間で水平に上下に分断して成形し、それらを結合して、ケース本体８内に取付けるようにしてもよい。そのようにすると、貫通孔１５の穿孔作業を容易に行うことができる。
【００３５】
また、取付軸６を充実のものとし、その上端に雄ねじ部(図示略)を一体的に形成して、その雄ねじ部を、棚板３の下面に直接ねじ込むようにしてもよい。
【００３６】
さらに、貫通孔１５における横長孔部１５ａの向きを左右方向としたり、この横長孔部１５ａを、取付軸６の軸部６ｂより大径の真円としたりしてもよい。
【産業上の利用可能性】
【００３７】
本発明は、照明器具を棚板に取付ける場合だけでなく、収納ケースその他のオプション部材を、天井、壁その他の構造体に取付けるあらゆる場合に適用することができる。
【図面の簡単な説明】
【００３８】
【図１】本発明の一実施形態である照明器具を棚板の下面に取付けた状態を斜め前下方より見た斜視図である。
【図２】同じく、分解斜視図である。
【図３】図１のIII−III線に沿う拡大縦断側面図である。
【図４】照明器具の一側部の平面図である。
【符号の説明】
【００３９】
１  支柱
２  ブラケット
３  棚板(構造体)
４  照明器具(オプション部材)
５  連結杆
６  取付軸
６ａ軸孔
６ｂ軸部
６ｃ雄ねじ部
６ｄ拡径フランジ
６ｅ拡径鍔部
７  固定ねじ
８  ケース本体
９  ソケット
１０  蛍光灯
１１  カバー
１２  側部カバー
１３  取付部材
１３ａボス部
１４  固定ねじ
１５  貫通孔
１５ａ横長孔部
１５ｂ幅広横長孔部
１５ｃ丸孔部
１５ｄ横溝
１５ｅ拡径段孔
１６、１７  貫通孔
１８  締付けナット
１８ａねじ孔
１８ｂ縮径段部
【図１】
2010099331.tif 000003
【図２】
2010099331.tif 000004
【図３】
2010099331.tif 000005
【図４】
2010099331.tif 000006